【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
端末から発見されたロケーションサーバへの認可アクセスを獲得するための方法であって、
前記端末によるホームロケーションサーバへの認証アクセスをサポートしない第１のネットワークから、前記端末による前記ホームロケーションサーバへの認証アクセスをサポートする第２のネットワークへ切り替えることと、
前記ホームロケーションサーバへの認証アクセスを前記第２のネットワークを使用して獲得することと、
前記発見されたロケーションサーバのための認可を前記ホームロケーションサーバから獲得することと、
前記第２のネットワークから前記第１のネットワークに戻るように切り替えることと、
前記ホームロケーションサーバからの前記獲得された認可に基づき、前記第１のネットワークを使用して前記発見されたロケーションサーバをアクセスすることと、
を備える方法。
【請求項２】
前記ホームロケーションサーバはホームセキュアユーザプレーンロケーション,ＳＵＰＬ,ロケーションプラットフォーム,Ｈ−ＳＬＰを備える請求項１に記載の方法。
【請求項３】
前記認証アクセスを獲得することは、前記Ｈ−ＳＬＰによって前記端末を認証するために代替クライアント認証,ＡＣＡ,メカニズム、デバイス証明、汎用ブートストラッピングアーキテクチャ,ＧＢＡ,のうちの少なくとも１つを備える、請求項２に記載の方法。
【請求項４】
前記認証アクセスを獲得することは、前記端末によりＨ−ＳＬＰを認証するために公開鍵証明を使用することを備える、請求項２に記載の方法。
【請求項５】
発見されたロケーションサーバへの認可アクセスを獲得するための端末であって、
前記端末によるホームロケーションサーバへの認証アクセスをサポートしない第１のネットワークから、前記端末による前記ホームロケーションサーバへの認証アクセスをサポートする第２のネットワークへ切り替え、
前記端末が前記第２のネットワークを使用して前記ホームロケーションサーバへの認証アクセスを獲得した後、前記第２のネットワークから前記第１のネットワークに戻るように切り替えるように構成されたトランシーバと、
前記ホームロケーションサーバへの認証アクセスを前記第２のネットワークを使用して獲得し、
前記発見されたロケーションサーバのための認可を前記ホームロケーションサーバから獲得し、
前記ホームロケーションサーバからの前記獲得された認可に基づき、前記第１のネットワークを使用して前記発見されたロケーションサーバをアクセスするように構成されたプロセッサと、
を備える端末。
【請求項６】
前記ホームロケーションサーバはホームＳＵＰＬロケーションプラットフォーム,Ｈ−ＳＬＰを備える請求項５に記載の端末。
【請求項７】
前記プロセッサは、前記Ｈ−ＳＬＰによって前記端末を認証するために代替クライアント認証,ＡＣＡ,メカニズム、デバイス証明、汎用ブートストラッピングアーキテクチャ,ＧＢＡ,のうちの少なくとも１つを使用して認証アクセスを獲得するように構成される、請求項６に記載の端末。
【請求項８】
前記プロセッサは、前記端末によりＨ−ＳＬＰを認証するために公開鍵証明を使用して認証アクセスを獲得するように構成される、請求項６に記載の端末。
【請求項９】
端末から発見されたロケーションサーバへの認可アクセスを獲得するための装置であって、
前記端末によるホームロケーションサーバへの認証アクセスをサポートしない第１のネットワークから、前記端末による前記ホームロケーションサーバへの認証アクセスをサポートする第２のネットワークへ切り替える手段と、
前記ホームロケーションサーバへの認証アクセスを前記第２のネットワークを使用して獲得する手段と、
前記発見されたロケーションサーバのための認可を前記ホームロケーションサーバから獲得する手段と、
前記第２のネットワークから前記第１のネットワークに戻るように切り替える手段と、
前記ホームロケーションサーバからの前記獲得された認可に基づき、前記第１のネットワークを使用して前記発見されたロケーションサーバをアクセスする手段と、
を備える装置。
【請求項１０】
前記発見されたロケーションサーバは発見されたＳＵＰＬロケーションプラットフォーム,Ｄ−ＳＬＰを備える、請求項９に記載の装置、請求項５に記載の端末、または請求項１に記載の方法。
【請求項１１】
前記ホームロケーションサーバはホームＳＵＰＬロケーションプラットフォーム,Ｈ−ＳＬＰを備える請求項９に記載の装置。
【請求項１２】
認証アクセスを獲得する前記手段は、前記Ｈ−ＳＬＰによって前記端末を認証するために代替クライアント認証,ＡＣＡ,メカニズム、デバイス証明、汎用ブートストラッピングアーキテクチャ,ＧＢＡ,のうちの少なくとも１つ使用する手段を備える、請求項１１に記載の装置。
【請求項１３】
認証アクセスを獲得する前記手段は、前記端末によりＨ−ＳＬＰを認証するために公開鍵証明を使用する手段を備える、請求項１１に記載の装置。
【請求項１４】
前記第１のネットワークは無線ローカルエリアネットワーク(ＷＬＡＮ)である、および／または前記第２のネットワークはロングタームエボリューション,ＬＴＥ、ＷＣＤＭＡ、ＧＳＭまたはｃｄｍａ２０００ ＨＲＰＤをサポートするネットワークである、請求項９に記載の装置、請求項５に記載の端末、または請求項１に記載の方法。
【請求項１５】
請求項１−４、１０、または１４のいずれかに記載の前記方法をプロセッサに行わせるように構成されるプロセッサ可読命令を備える非一時的プロセッサ可読媒体。
【手続補正２】
【補正対象書類名】明細書
【補正対象項目名】００７６
【補正方法】変更
【補正の内容】
【００７６】
[0079]  様々な例が説明されている。これらの例および他の例は、以下の特許請求の範囲の範囲内にある。
以下に本出願の当初の特許請求の範囲に記載された発明を付記する。
[Ｃ１]  端末から発見されたロケーションサーバへの認可アクセスを獲得するための方法であって、
前記端末によるホームロケーションサーバへの認証アクセスをサポートしない第１のネットワークから、前記端末による前記ホームロケーションサーバへの認証アクセスをサポートする第２のネットワークへ切り替えることと、
前記ホームロケーションサーバへの認証アクセスを前記第２のネットワークを使用して獲得することと、
前記発見されたロケーションサーバのための認可を前記ホームロケーションサーバから獲得することと、
前記第２のネットワークから前記第１のネットワークに戻るように切り替えることと、
前記ホームロケーションサーバからの前記獲得された認可に基づき、前記第１のネットワークを使用して前記発見されたロケーションサーバをアクセスすることと、
を備える方法。
[Ｃ２]  前記発見されたロケーションサーバは発見されたＳＵＰＬロケーションプラットフォーム(Ｄ−ＳＬＰ)を備える、Ｃ１に記載の方法。
[Ｃ３]  前記ホームロケーションサーバはホームＳＵＰＬロケーションプラットフォーム(Ｈ−ＳＬＰ)を備えるＣ１に記載の方法。
[Ｃ４]  前記認証アクセスを獲得することは、前記Ｈ−ＳＬＰによって前記端末を認証するために代替クライアント認証(ＡＣＡ)メカニズム、デバイス証明、汎用ブートストラッピングアーキテクチャ(ＧＢＡ)のうちの少なくとも１つを備える、Ｃ３に記載の方法。
[Ｃ５]  前記認証アクセスを獲得することは、前記端末によりＨ−ＳＬＰを認証するために公開鍵証明を使用することを備える、Ｃ３に記載の方法。
[Ｃ６]  前記第１のネットワークは無線ローカルエリアネットワーク(ＷＬＡＮ)である、Ｃ１に記載の方法。
[Ｃ７]  前記第２のネットワークはロングタームエボリューション(ＬＴＥ)、ＷＣＤＭＡ、ＧＳＭまたはｃｄｍａ２０００ ＨＲＰＤをサポートするネットワークである、Ｃ１に記載の方法。
[Ｃ８]  発見されたロケーションサーバへの認可アクセスを獲得するための端末であって、
前記端末によるホームロケーションサーバへの認証アクセスをサポートしない第１のネットワークから、前記端末による前記ホームロケーションサーバへの認証アクセスをサポートする第２のネットワークへ切り替え、
前記端末が前記第２のネットワークを使用して前記ホームロケーションサーバへの認証アクセスを獲得した後、前記第２のネットワークから前記第１のネットワークに戻るように切り替えるように構成されたトランシーバと、
前記ホームロケーションサーバへの認証アクセスを前記第２のネットワークを使用して獲得し、
前記発見されたロケーションサーバのための認可を前記ホームロケーションサーバから獲得し、
前記ホームロケーションサーバからの前記獲得された認可に基づき、前記第１のネットワークを使用して前記発見されたロケーションサーバをアクセスするように構成されたプロセッサと、
を備える端末。
[Ｃ９]  前記発見されたロケーションサーバは発見されたＳＵＰＬロケーションプラットフォーム(Ｄ−ＳＬＰ)を備える、Ｃ８に記載の端末。
[Ｃ１０]  前記ホームロケーションサーバはホームＳＵＰＬロケーションプラットフォーム(Ｈ−ＳＬＰ)を備えるＣ８に記載の端末。
[Ｃ１１]  前記プロセッサは、前記Ｈ−ＳＬＰによって前記端末を認証するために代替クライアント認証(ＡＣＡ)メカニズム、デバイス証明、汎用ブートストラッピングアーキテクチャ(ＧＢＡ)のうちの少なくとも１つを使用して認証アクセスを獲得するように構成される、Ｃ１０に記載の端末。
[Ｃ１２]  前記プロセッサは、前記端末によりＨ−ＳＬＰを認証するために公開鍵証明を使用して認証アクセスを獲得するように構成される、Ｃ１０に記載の端末。
[Ｃ１３]  前記第１のネットワークは無線ローカルエリアネットワーク(ＷＬＡＮ)である、Ｃ８に記載の端末。
[Ｃ１４]  前記第２のネットワークはロングタームエボリューション(ＬＴＥ)、ＷＣＤＭＡ、ＧＳＭまたはｃｄｍａ２０００ ＨＲＰＤをサポートするネットワークである、Ｃ８に記載の端末。
[Ｃ１５]  端末から発見されたロケーションサーバへの認可アクセスを獲得するための装置であって、
前記端末によるホームロケーションサーバへの認証アクセスをサポートしない第１のネットワークから、前記端末による前記ホームロケーションサーバへの認証アクセスをサポートする第２のネットワークへ切り替える手段と、
前記ホームロケーションサーバへの認証アクセスを前記第２のネットワークを使用して獲得する手段と、
前記発見されたロケーションサーバのための認可を前記ホームロケーションサーバから獲得する手段と、
前記第２のネットワークから前記第１のネットワークに戻るように切り替える手段と、
前記ホームロケーションサーバからの前記獲得された認可に基づき、前記第１のネットワークを使用して前記発見されたロケーションサーバをアクセスする手段と、
を備える装置。
[Ｃ１６]  前記発見されたロケーションサーバは発見されたＳＵＰＬロケーションプラットフォーム(Ｄ−ＳＬＰ)を備える、Ｃ１５に記載の装置。
[Ｃ１７]  前記ホームロケーションサーバはホームＳＵＰＬロケーションプラットフォーム(Ｈ−ＳＬＰ)を備えるＣ１５に記載の装置。
[Ｃ１８]  認証アクセスを獲得する前記手段は、前記Ｈ−ＳＬＰによって前記端末を認証するために代替クライアント認証(ＡＣＡ)メカニズム、デバイス証明、汎用ブートストラッピングアーキテクチャ(ＧＢＡ)のうちの少なくとも１つ使用する手段を備える、Ｃ１７に記載の装置。
[Ｃ１９]  認証アクセスを獲得する前記手段は、前記端末によりＨ−ＳＬＰを認証するために公開鍵証明を使用する手段を備える、Ｃ１７に記載の装置。
[Ｃ２０]  前記第１のネットワークは無線ローカルエリアネットワーク(ＷＬＡＮ)である、Ｃ１５に記載の装置。
[Ｃ２１]  前記第２のネットワークはロングタームエボリューション(ＬＴＥ)、ＷＣＤＭＡ、ＧＳＭまたはｃｄｍａ２０００ ＨＲＰＤをサポートするネットワークである、Ｃ１５に記載の装置。
[Ｃ２２]  プロセッサ可読命令を備える非一時的プロセッサ可読媒体であって、
前記プロセッサ可読命令が、
前記端末によるホームロケーションサーバへの認証アクセスをサポートしない第１のネットワークから、前記端末による前記ホームロケーションサーバへの認証アクセスをサポートする第２のネットワークへ切り替えることと、
前記ホームロケーションサーバへの認証アクセスを前記第２のネットワークを使用して獲得することと、
前記発見されたロケーションサーバのための認可を前記ホームロケーションサーバから獲得することと、
前記第２のネットワークから前記第１のネットワークに戻るように切り替えることと、
前記ホームロケーションサーバからの前記獲得された認可に基づき、前記第１のネットワークを使用して前記発見されたロケーションサーバをアクセスすることと、
をプロセッサに行わせるように構成される、プロセッサ可読媒体。
[Ｃ２３]  前記発見されたロケーションサーバは発見されたＳＵＰＬロケーションプラットフォーム(Ｄ−ＳＬＰ)を備える、Ｃ２２に記載の非一時的プロセッサ可読媒体。
[Ｃ２４]  前記ホームロケーションサーバはホームＳＵＰＬロケーションプラットフォーム(Ｈ−ＳＬＰ)を備えるＣ２２に記載の非一時的プロセッサ可読媒体。
[Ｃ２５]  前記認証アクセスを獲得することは、前記Ｈ−ＳＬＰによって前記端末を認証するために代替クライアント認証(ＡＣＡ)メカニズム、デバイス証明、汎用ブートストラッピングアーキテクチャ(ＧＢＡ)のうちの少なくとも１つを備える、Ｃ２４に記載の非一時的プロセッサ可読媒体。
[Ｃ２６]  前記認証アクセスを獲得することは、前記端末によりＨ−ＳＬＰを認証するために公開鍵証明を使用することを備える、Ｃ２４に記載の非一時的プロセッサ可読媒体。
[Ｃ２７]  前記第１のネットワークは無線ローカルエリアネットワーク(ＷＬＡＮ)である、Ｃ２２に記載の非一時的プロセッサ可読媒体。
[Ｃ２８]  前記第２のネットワークはロングタームエボリューション(ＬＴＥ)、ＷＣＤＭＡ、ＧＳＭまたはｃｄｍａ２０００ ＨＲＰＤをサポートするネットワークである、Ｃ２２に記載の非一時的プロセッサ可読媒体。